(57)【特許請求の範囲】
【請求項１】
電話番号を含む情報が入力可能な操作部を備える本体部と、前記本体部からの信号によって情報を表示する表示部を備える折り畳み部と、前記本体部に対して前記折り畳み部を開閉可能に保持するヒンジ部とを備える携帯電話機において、
前記ヒンジ部は、
前記本体部に設けられた円筒状の嵌合部分を少なくとも1つ備える第1嵌合部と、
前記折り畳み部に設けられると共に、前記第１嵌合部とかみ合う円筒状の嵌合部分を備える第2嵌合部と、
前記第１嵌合部および前記第２嵌合部に嵌め込まれると共に、少なくとも一端が開放され、内部が中空の円筒部と、
前記円筒部の開放された部分に設けられると共に、前記本体部からの音信号を変換する第１スピーカとを備えることを特徴とする携帯電話機。
【請求項２】
電話番号を含む情報が入力可能な操作部を備える本体部と、前記本体部からの信号によって情報を表示する表示部を備える折り畳み部と、前記本体部に対して前記折り畳み部を開閉可能に保持するヒンジ部とを備える携帯電話機において、
前記本体部または前記折り畳み部の前記ヒンジ部から延長しかつヒンジ部に並置された延長部に設けた中空円筒状の収納部と、
この収納部に嵌めこまれ、少なくとも一端が開放された中空の円筒体と、
前記収納部内の円筒体の開放された一端または両端に設けられると共に、前記本体部からの音信号を変換する第１のまたは第１と第２のスピーカとを備えることを特徴とする携帯電話機。
【請求項３】
前記円筒部の他端が開放され、
前記円筒部の開放された他端に設けられると共に、前記本体部からの音信号を変換する第２スピーカを備えることを特徴とする請求項１または２に記載の携帯電話機。
【請求項４】
前記円筒部は、中空部分を２つに仕切る隔壁を備えることを特徴とする請求項３に記載の携帯電話機。
【発明の詳細な説明】
【０００１】
【発明の属する技術分野】
この発明は、折り畳みができる携帯電話機に関する。
【０００２】
【従来の技術】
折り畳みの可能な携帯電話機には、二つ折りタイプのものがある。このような携帯電話機は、本体部と折り畳み部とを備えている。本体部には、使用者によって操作される操作部が設けられ、折り畳み部には、本体部に対する操作結果や着信等に基づいて、電話番号や着信に関する情報などを表示する表示部が設けられている。この表示部として、液晶ディスプレイが用いられている。
【０００３】
また、前記の折り畳み部または本体部には、着信音や本体部のボタン操作に対応した音などを出力するスピーカが設けられている。このスピーカは、折り畳み部の液晶ディスプレイの上部、下部、裏面などに形成されるスペースや、同じく本体部に形成されるスペースに配置されている。
【０００４】
【発明が解決しようとする課題】
前述した携帯電話機には、次のような課題がある。つまり、携帯電話機の小型化や多機能化などに伴って、スピーカを配置するための、折り畳み部または本体部のスペースが制約を受けることになる。特に、携帯電話機の薄型化のために、スピーカのバックキャビティを折り畳み部または本体部に確保することができない。この結果、スピーカからの低音が充分に再生されず、良質な音響再生ができないという課題が、従来の携帯電話機には発生する。
【０００５】
この発明は、前記の課題を解決し、良質な音響再生を可能にする携帯電話機を提供することを目的とする。
【０００６】
【課題を解決するための手段】
前記課題を解決するために、請求項１の発明は、電話番号を含む情報が入力可能な操作部を備える本体部と、前記本体部からの信号によって情報を表示する表示部を備える折り畳み部と、前記本体部に対して前記折り畳み部を開閉可能に保持するヒンジ部とを備える携帯電話機において、前記ヒンジ部は、前記本体部に設けられた円筒状の嵌合部分を少なくとも１つ備える第１嵌合部と、前記折り畳み部に設けられると共に、前記第１嵌合部とかみ合う円筒状の嵌合部分を備える第２嵌合部と、前記第１嵌合部および前記第２嵌合部にはめ込まれると共に、少なくとも一端が開放され、内部が中空の円筒部と、前記円筒部の開放された部分に設けられると共に、前記本体部からの音信号を変換する第１スピーカとを備えることを特徴とする。
【０００７】
請求項２の発明は、電話番号を含む情報が入力可能な操作部を備える本体部と、前記本体部からの信号によって情報を表示する表示部を備える折り畳み部と、前記本体部に対して前記折り畳み部を開閉可能に保持するヒンジ部とを備える携帯電話機において、前記本体部または前記折り畳み部の前記ヒンジ部から延長しかつヒンジ部に並置された延長部に設けた中空円筒状の収納部と、この収納部に嵌めこまれ、少なくとも一端が開放された中空の円筒体と、前記収納部内の円筒体の開放された一端または両端に設けられると共に、前記本体部からの音信号を変換する第１のまたは第１と第２のスピーカとを備えることを特徴とする。
【０００８】
前記構成によれば、ヒンジ部の中空な円筒部、本体部もしくは折り畳み部の中空な円筒部、または中空な収納部によって、円筒部または収納部にスピーカのバックキャビティが確保される。そして、このバックキャビティによって、低音が充分に再生され、良質な音響再生が可能になる。
【０００９】
請求項３の発明は、請求項１または２に記載の携帯電話機において、前記円筒部の他端が開放され、前記円筒部の開放された他端に設けられると共に、前記本体部からの音信号を変換する第２スピーカを備えることを特徴とする。
【００１０】
請求項４の発明は、請求項３に記載の携帯電話機において、前記円筒部は、中空部分を２つに仕切る隔壁を備えていることを特徴とする。
【００１１】
【発明の実施の形態】
つぎに、この発明の実施の形態１〜９について、図面を参照して詳しく説明する。
【００１２】
［実施の形態１］
この実施の形態による携帯電話機を図１に示す。図１の携帯電話機は、本体部１、折り畳み部２、ヒンジ部３、および後述するスピーカ４を備えている。
【００１３】
本体部１は、使用者によって操作される。このために、本体部１の長方形状をしたケース１Ａには、発信相手の電話番号を入力するときや、携帯電話機の機能を利用するときなどに操作される各種のボタン１Ｂが配列されている。この実施の形態では、ボタン１Ｂが配列された部分が操作部を構成する。
【００１４】
折り畳み部２は、本体部１に対して開閉が可能である。また、本体部１と同じような長方形状をしたケース２Ａには、液晶ディスプレイ２Ｂが取り付けられている。この実施の形態では、液晶ディスプレイ２Ｂが表示部を構成する。
【００１５】
ヒンジ部３は、本体部１に対して折り畳み部２を開閉可能に保持している。ヒンジ部３は、図２に示すように、第１嵌合部として嵌合部３Ａ、円筒部３Ｂ、および第２嵌合部として嵌合部３Ｃを備えている。
【００１６】
嵌合部３Ａは、本体部１のケース１Ａの短辺側に設けられている。嵌合部３Ａは、円筒部３Ｂと嵌合する円筒状の嵌合部分３Ａ１を備えている。
【００１７】
嵌合部３Ｃは、折り畳み部２のケース２Ａの短辺側に設けられている。嵌合部３Ｃは、円筒部３Ｂと嵌合する円筒状の嵌合部分３Ｃ１を備えている。嵌合部分３Ｃ１は、嵌合部３Ａの嵌合部分３Ａ１の間に入り込むように、ケース２Ａの短辺側に配列されている。また、各嵌合部分３Ｃ１の外形は、嵌合部３Ａの嵌合部分３Ａ１と同じであるが、嵌合部分３Ｃ１の内径は、嵌合部分３Ａ１に比べて小さくなっている。これは、円筒部３Ｂとの嵌合に際して、後述するように、嵌合部３Ｃが円筒部３Ｂから脱落することを防ぐためである。
【００１８】
また、嵌合部３Ｃの各嵌合部分３Ｃ１は、２つに分割され、図３に示すように、分割部分３Ｃ１１と、分割部分３Ｃ１２とで構成されている。分割部分３Ｃ１１は、ケース２Ａのケース部分２Ａ１に形成され、分割部分３Ｃ１２は、ケース２Ａのケース部分２Ａ２に形成されている。この実施の形態では、ケース部分２Ａ１にケース部分２Ａ２を取り付けて、ケース２Ａが作られている。嵌合部分３Ｃ１を２つに分割したのは、後述するように、各嵌合部分３Ｃ１を円筒部３Ｂに取り付け可能にするためである。
【００１９】
円筒部３Ｂは、図４に示すように、円筒状をしたものである。円筒部３Ｂの表面には、円筒部分３Ｂ１と凹部分３Ｂ２とが設けられている。円筒部分３Ｂ１はヒンジ部３の嵌合部３Ａと嵌合し、凹部分３Ｂ２はヒンジ部３の嵌合部３Ｃと嵌合する。つまり、嵌合部３Ａの嵌合部分３Ａ１に比べて内径が小さい、嵌合部３Ｃの嵌合部分３Ｃ１と、凹部分３Ｂ２とが嵌合し、かつ、各嵌合部分３Ｃ１が凹部分３Ｂ２の外壁面に沿って回るように、凹部分３Ｂ２が嵌合部分３Ｃ１と嵌合している。これによって、折り畳み部２のケース２Ａが本体部１のケース１Ａに対して開閉可能となる。かつ、円筒部３Ｂの円筒部分３Ｂ１と凹部分３Ｂ２とで形成される段差によって、嵌合部３Ｃが円筒部３Ｂの長手方向に移動することがないので、折り畳み部２のケース２Ａが本体部１のケース１Ａから離脱するのを防いでいる。
【００２０】
円筒部３Ｂの内部は、図５に示すように、中空３Ｂ１１になっている。そして、円筒部３Ｂの一端が開放され、他端が閉じられている。開放されている一端の内壁面には、段差３Ｂ２１が設けられている。また、円筒部３Ｂには、リード線を通すための配線孔３Ｂ２２が空けられている。
【００２１】
円筒部３Ｂの段差３Ｂ２１には、先に述べたスピーカ４が取り付けられている。スピーカ４は、超小型のダイナミックスピーカである。スピーカ４には、配線孔３Ｂ２２を通ったリード線４Ａが接続されている。スピーカ４は、リード線４Ａを伝わってくる電気信号である音信号を音に変換する。なお、リード線４Ａは増幅器（図示を省略）に接続されている。この増幅器は、従来、折り畳み部のスペースに取り付けられていたスピーカに音信号を出力するものである。この実施の形態では、公知の増幅器に対する配線を変更して、この増幅器の出力端子がリード線４Ａに接続されている。
【００２２】
こうした構造の携帯電話機によれば、ヒンジ部３によって、図６に示すように、折り畳み部２のケース２Ａが本体部１のケース１Ａに対して、矢印１００の方向に開閉される。また、本体部１の前記増幅器からリード線４Ａを経由して、音信号がスピーカ４に加えられると、スピーカ４は、音信号を音に変換して出力する。このとき、ヒンジ部３の円筒部３Ｂの内部が中空３Ｂ１１になっているので、中空３Ｂ１１がバックキャビティとなって、低音を充分に再生することができる。この結果、この実施の形態によれば、良質な音響再生を可能にする。
【００２３】
また、この実施の形態によれば、スピーカ４がヒンジ部３の円筒部３Ｂの一端側に取り付けられているので、折り畳み部２の開閉に影響されること無く、低音を充分に再生することができ、良質な音響再生を可能にする。
【００２４】
［実施の形態２］
この実施の形態による携帯電話機を図７に示す。図７の携帯電話機は、本体部１１、折り畳み部１２、ヒンジ部１３、円筒部１４、およびスピーカ１５を備えている。
【００２５】
本体部１１は、使用者によって操作される。このために、本体部１１の長方形状のケース１１Ａには、発信相手の電話番号を入力するときや、携帯電話機の機能を利用するときなどに操作される各種のボタン（図示を省略）が配列されている。また、本体部１１の端部、つまりヒンジ部１３の外側には、収納部１１Ｂが設けられている。収納部１１Ｂは、本体部１１のケース１１Ａを延長して形成した延長部である。
【００２６】
折り畳み部１２は、本体部１１に対して開閉可能である。また、本体部１１には、液晶ディスプレイ（図示を省略）が取り付けられている。
【００２７】
ヒンジ部１３は、本体部１１に対して折り畳み部１２を開閉可能に保持している。
【００２８】
円筒部１４は、ケース１１Ａの収納部１１Ｂ内に、かつ、ケース１１Ａの短辺方向にヒンジ部１３と並んで収納されている。円筒部１４は、図８に示すように、円筒状をしたものである。円筒部１４の内部は中空１４Ａになっている。そして、円筒部１４の一端が開放され、他端が閉じられている。開放されている一端の内壁面には、段差１４Ｂが設けられている。また、円筒部１４には、リード線を通すための配線孔１４Ｃが空けられている。
【００２９】
円筒部１４の段差１４Ｂには、スピーカ１５が取り付けられている。スピーカ１５は、超小型のダイナミックスピーカである。スピーカ１５には、配線孔１４Ｃを通ったリード線１５Ａが接続されている。スピーカ１５は、リード線１５Ａを伝わってくる音信号を音に変換する。なお、リード線１５Ａは、実施の形態１と同じように公知の増幅器（図示を省略）に接続されている。
【００３０】
この実施の形態によれば、実施の形態１と同じように、折り畳み部１２の開閉に影響されること無く、円筒部１４の中空１４Ａがバックキャビティとなって、低音を充分に再生することができ、良質な音響再生を可能にする。
【００３１】
［実施の形態３］
この実施の形態では、図９に示すように、実施の形態１に用いられた円筒部３Ｂの他端が開放されている。そして、開放されている他端の内壁面には、段差３Ｂ２３が設けられている。円筒部３Ｂの段差３Ｂ２３には、実施の形態１と同じスピーカ４が取り付けられている。つまり、この実施の形態では、スピーカ４がステレオ配置されている。スピーカ４には、配線孔３Ｂ２２を通ったリード線４Ａが接続されている。リード線４Ａは、実施の形態１と同じような、公知の増幅器（図示を省略）に接続されている。また、携帯電話機がステレオ再生をする機能をもてば、リード線４Ａをステレオ用の増幅器に接続し、ステレオ再生をすることも可能である。
【００３２】
この実施の形態によれば、実施の形態１と同じように、折り畳み部２の開閉に影響されること無く、低音を充分に再生することができ、良質な音響再生を可能にする。
【００３３】
さらに、この実施の形態によれば、円筒部３Ｂに２つのスピーカ４が取り付けられているので、大きな出力を得ることができると共に、２つのスピーカの間隔を確保できるので、良質なステレオ再生が可能になる。
【００３４】
［実施の形態４］
この実施の形態では、図１０に示すように、実施の形態２に用いられた円筒部１４の他端が開放されている。そして、開放されている他端の内壁面には、段差１４Ｄが設けられている。円筒部１４の段差１４Ｄには、実施の形態２と同じスピーカ１５が取り付けられている。つまり、この実施の形態では、スピーカ１５がステレオ配置されている。スピーカ１５には、配線孔１４Ｃを通ったリード線１５Ａが接続されている。リード線１５Ａは、実施の形態１と同じような、公知の増幅器（図示を省略）に接続されている。また、携帯電話機がステレオ再生をする機能をもてば、リード線１５Ａをステレオ用の増幅器に接続し、ステレオ再生をすることも可能である。
【００３５】
この実施の形態によれば、実施の形態２と同じように、折り畳み部１２の開閉に影響されることの無く、低音を充分に再生することができ、良質な音響再生を可能にする。
【００３６】
さらに、この実施の形態によれば、円筒部１４に２つのスピーカ１５が取り付けられているので、大きな出力を得ることができると共に、２つのスピーカ１５の間隔を確保できるので、良質なステレオ再生が可能になる。
【００３７】
［実施の形態５］
この実施の形態では、図１１に示すように、実施の形態３の円筒部３Ｂ（図９）の中空３Ｂ１１に隔壁３Ｂ２４を設けている。隔壁３Ｂ２４は、中空３Ｂ１１の中央に位置する。そして、隔壁３Ｂ２４によって、中空３Ｂ１１が２つに分けられる。また、分けられた中空３Ｂ１１の部分には、スピーカ４のリード線４Ａを通すための配線孔３Ｂ２２がそれぞれ空けられている。
【００３８】
この実施の形態によれば、２つのスピーカ４によってステレオ再生をする場合、スピーカ４が設けられている中空３Ｂ１１が分割されているので、良好なステレオ再生を可能にする。
【００３９】
［実施の形態６］
この実施の形態では、図１２に示すように、実施の形態４の円筒部１４（図１０）の中空１４Ａに隔壁１４Ｅを設けている。隔壁１４Ｅは、中空１４Ａの中央に位置する。そして、隔壁１４Ｅによって、中空１４Ａが２つに分けられる。また、分けられた中空１４Ａの部分には、各スピーカ１５のリード線１５Ａを通すための配線孔１４Ｃがそれぞれ空けられている。
【００４０】
この実施の形態によれば、実施の形態５と同様に、２つのスピーカ１５によってステレオ再生をする場合、スピーカ１５が設けられている中空１４Ａが分割されているので、良好なステレオ再生を可能にする。
【００４１】
［実施の形態７］
この実施の形態では、実施の形態２の収納部１１Ｂ（図７）を次のようにしている。図１３に示すように、この実施の形態の収納部１２Ａはスピーカ１５を収納している。収納部１２Ａは、本体部１１のケース１１Ａを延長して形成した延長部であり、内部が中空１２Ａ１になっている。また、収納部１２Ａは、ヒンジ部１３に隣接し、かつ、ヒンジ部１３に対して並んで形成されている。
【００４２】
収納部１２Ａの側面１２Ａ２には、スピーカ１５を入れるための円形の開口１２Ａ３が空けられている。開口１２Ａ３の内壁には、スピーカ１５を固定するための段差１２Ａ４が設けられている。また、収納部１２Ａの仕切り壁１２Ａ５には、スピーカ１５のリード線１５Ａを通すための配線孔１２Ａ６が空けられている。
【００４３】
この実施の形態によれば、スピーカ１５を収納部１２Ａに直接取り付けることができる。この結果、円筒部にスピーカを設置する場合に比べて、大きな口径のスピーカ１５を収納することができる。
【００４４】
［実施の形態８］
この実施の形態では、図１４に示すように、実施の形態７の収納部１２Ａの、他方の側面に開口１２Ａ１１が空けられている。開口１２Ａ１１の内壁面には、段差１２Ａ１２が設けられている。段差１２Ａ１２には、実施の形態７と同じスピーカ１５が取り付けられている。つまり、この実施の形態では、スピーカ１５がステレオ配置されている。スピーカ１５には、配線孔１２Ａ６を通ったリード線１５Ａが接続されている。リード線１５Ａは、公知の増幅器（図示を省略）に接続されている。また、携帯電話機がステレオ再生をする機能をもてば、リード線１５Ａをステレオ用の増幅器に接続し、ステレオ再生をすることも可能である。
【００４５】
この実施の形態によれば、円筒部にスピーカを設置する場合に比べて、大きな口径のスピーカ１５を収納することができる。しかも、この実施の形態によれば、２つのスピーカ１５が取り付けられているので、大きな出力を得ることができると共に、２つのスピーカ１５の間隔を確保できるので、良質なステレオ再生が可能になる。
【００４６】
［実施の形態９］
この実施の形態では、図１５に示すように、実施の形態８の中空１２Ａ１に隔壁１２Ａ１３を設けている。隔壁１２Ａ１３は、中空１２Ａ１の中央に位置する。そして、隔壁１２Ａ１３によって、中空１２Ａ１が２つに分けられる。また、分けられた中空１２Ａ１の部分には、スピーカ１５のリード線１５Ａを通すための配線孔１２Ａ６がそれぞれ空けられている。
【００４７】
この実施の形態によれば、２つのスピーカ１５によってステレオ再生をする場合、スピーカ１５が設けられている中空１２Ａ１が分割されているので、良好なステレオ再生を可能にする。
【００４８】
以上、この発明の実施の形態を詳述してきたが、具体的な構成はこの実施の形態に限られるものではなく、この発明の要旨を逸脱しない範囲の設計の変更等があっても、この発明に含まれる。たとえば、実施の形態１では、折り畳み部２側に設けられた嵌合部３Ｃの嵌合部分３Ｃ１の内径を小さくし、かつ、ヒンジ部３の円筒部３Ｂに凹部分３Ｂ２を設けたが、この逆でもよい。つまり、本体部１側の嵌合部３Ａの嵌合部分３Ａ１の内径を小さくし、かつ、円筒部３Ｂの円筒部分３Ｂ１を凹部としてもよい。
【００４９】
さらに、実施の形態２では、収納部１１Ｂを本体部１１に設けたが、収納部１１Ｂを折り畳み部１２に設けてもよい。
【００５０】
また、実施の形態２および実施の形態７〜９では、収納部１１Ｂや収納部１２Ａの形状を工夫することによって、さらに大きなバックキャビティの確保や、より大きい口径のスピーカの配置も可能となる。
【００５１】
【発明の効果】
以上、説明したように、請求項１、２の発明によれば、ヒンジ部の中空な円筒部、または、本体部もしくは折り畳み部の中空な円筒部によって、円筒部または収納部にスピーカのバックキャビティが確保され、低音が充分に再生され、良質な音響再生を可能にする。また、円筒部がヒンジ部またはその近傍に形成されているので、折り畳み部を本体部に折り畳んだ状態でも、良質な音を出力することができる。
【００５２】
特に請求項２の発明によれば、中空な収納部によって、収納部にバックキャビティが確保されるので、前記の発明と同様に、低音が充分に再生され、良質な音響再生を可能にする。
【００５３】
請求項３、４の発明によれば、円筒部または収納部が２つのスピーカを備えるので、大きな出力を得ることができると共に、２つのスピーカの間隔を確保できる。これによって、良質なステレオ再生が可能になる。
【図面の簡単な説明】
【図１】この発明の実施の形態１による携帯電話機を示す正面図である。
【図２】ヒンジ部の構成を説明する説明図である。
【図３】嵌合部の嵌合部分の構成を説明する説明図である。
【図４】ヒンジ部の円筒部を示す斜視図である。
【図５】ヒンジ部の円筒部の断面を示す断面図である。
【図６】折り畳み部の開閉を示す側面図である。
【図７】この発明の実施の形態２による携帯電話機を示す図であり、（ａ）が正面図であり、（ｂ）が側面図である。
【図８】実施の形態２に用いられる円筒部を示す断面図である。
【図９】この発明の実施の形態３に用いられる円筒部を示す断面図である。
【図１０】この発明の実施の形態４に用いられる円筒部を示す断面図である。
【図１１】この発明の実施の形態５に用いられる円筒部を示す断面図である。
【図１２】この発明の実施の形態６に用いられる円筒部を示す断面図である。
【図１３】この発明の実施の形態７の収納部を示す部分断面図である。
【図１４】この発明の実施の形態８の収納部を示す部分断面図である。
【図１５】この発明の実施の形態９の収納部を示す部分断面図である。
【符号の説明】
１  本体部
１Ａ  ケース
１Ｂ  ボタン
２  折り畳み部
２Ａ  ケース
２Ａ１、２Ａ２  ケース部分
２Ｂ  液晶ディスプレイ
３  ヒンジ部
３Ａ、３Ｃ  嵌合部
３Ａ１、３Ｃ１  嵌合部分
３Ｂ  円筒部
３Ｂ１  円筒部分
３Ｂ２  凹部分
３Ｂ１１  中空
３Ｂ２１、３Ｂ２３  段差
３Ｂ２２  配線孔
３Ｂ２４  隔壁
３Ｃ１１、３Ｃ１２  分割部分
４  スピーカ
４Ａ  リード線
１１  本体部
１１Ａ  ケース
１１Ｂ  収納部
１２  折り畳み部
１２Ａ  収納部
１２Ａ１  中空
１２Ａ２  側面
１２Ａ３、１２Ａ１１  開口
１２Ａ４、１２Ａ１２  段差
１２Ａ５  仕切り壁
１２Ａ６  配線孔
１２Ａ１３  隔壁
１３  ヒンジ部
１４  円筒部
１４Ａ  中空
１４Ｂ、１４Ｄ  段差
１４Ｃ  配線孔
１４Ｅ  隔壁
１５  スピーカ
１５Ａ  リード線
【図１】
0003980880.tif 000002
【図２】
0003980880.tif 000003
【図３】
0003980880.tif 000004
【図４】
0003980880.tif 000005
【図５】
0003980880.tif 000006
【図６】
0003980880.tif 000007
【図７】
0003980880.tif 000008
【図８】
0003980880.tif 000009
【図９】
0003980880.tif 000010
【図１０】
0003980880.tif 000011
【図１１】
0003980880.tif 000012
【図１２】
0003980880.tif 000013
【図１３】
0003980880.tif 000014
【図１４】
0003980880.tif 000015
【図１５】
0003980880.tif 000016